(57)【要約】【課題】蓋部材に意匠性を持たせることができる、ドレイン排水溝部材を提供すること。【解決手段】屋外の床面に設置されてドレインホースからのドレイン水を受けて流して排水するための、ドレイン排水溝部材において、ドレイン水を流すための長手方向に延びた排水路、を有する通水部材と、該排水路を上方から塞ぐための平板状の蓋部材６と、からなっており、蓋部材６が、複数層６６４、６６５の積層体からなっていることを特徴としている。【選択図】図１０
2009013786.tif 000002
【特許請求の範囲】
【請求項１】
屋外の床面に設置されてドレインホースからのドレイン水を受けて流して排水するための、ドレイン排水溝部材において、
ドレイン水を流すための長手方向に延びた排水路、を有する通水部材と、
該排水路を上方から塞ぐための平板状の蓋部材と、からなっており、
蓋部材が、複数層の積層体からなっていることを特徴とするドレイン排水溝部材。
【請求項２】
蓋部材が、少なくとも化粧層を有しており、表から見て化粧層が見えるよう構成されている、請求項１記載のドレイン排水溝部材。
【請求項３】
蓋部材が、最下層に抗菌作用又は防カビ作用を発揮する作用層を有している、請求項１記載のドレイン排水溝部材。
【請求項４】
蓋部材が、最上層に耐紫外線作用を発揮する作用層を有している、請求項１記載のドレイン排水溝部材。
【請求項５】
蓋部材が、最上層に耐紫外線作用を発揮する作用層を有しており、最下層に抗菌作用又は防カビ作用を発揮する作用層を有している、請求項１記載のドレイン排水溝部材。
【請求項６】
蓋部材が、第１化粧層及び第２化粧層を有しており、表から見て第１化粧層が見え且つ裏から見て第２化粧層が見えるよう構成されている、請求項１記載のドレイン排水溝部材。
【請求項７】
蓋部材が、最上層及び最下層に抗菌作用又は防カビ作用を発揮する作用層をそれぞれ有している、請求項１記載のドレイン排水溝部材。
【請求項８】
蓋部材が、最上層及び最下層に耐紫外線作用を発揮する作用層をそれぞれ有している、請求項１記載のドレイン排水溝部材。
【請求項９】
蓋部材の表面に、長手方向に延びた複数の凸部が形成されている、請求項１記載のドレイン排水溝部材。
【請求項１０】
蓋部材の裏面に、長手方向に延びた複数の凸部が形成されている、請求項１記載のドレイン排水溝部材。
【発明の詳細な説明】
【技術分野】
【０００１】
本発明は、ドレイン排水溝部材に関するものである。ドレイン排水溝部材は、屋外の床面に設置されてドレインホースからのドレイン水を受けて流して排水するためのものである。
【背景技術】
【０００２】
マンション等の集合住宅の、共通廊下やベランダ等である屋外には、通常、冷暖房機の外機が設置されている。そして、外機からは、ドレインホースを通してドレイン水が排出されている。
【０００３】
ところで、ドレイン水をそのまま屋外の床面に垂れ流すと、ドレイン水が床面に広がっていき、次のような問題が生じる。
（１）ドレイン水の広がった場所に埃や砂等が付着し、床面に、汚れやシミができたりカビが発生したりする。
（２）床面が濡れることによって滑りやすくなるために、転倒事故が発生しやすくなる。
【０００４】
そこで、従来から、ドレイン水の排水対策が採られている。例えば、特許文献１〜３には、ドレインホースからのドレイン水を排水するためのドレイン排水溝部材が、示されている。特許文献１には、溝状の排水路を備えたドレイン排水溝部材が示されている。その排水路は露出したままである。特許文献２には、管状の排水路を備えたドレイン排水溝部材が示されている。また、特許文献２及び３には、溝状の排水路を有する部材に排水路を塞ぐ蓋部材が脱着可能に取り付けられたドレイン排水溝部材が示されている。
【特許文献１】特開平１０−４６７６２号公報
【特許文献２】特開２００１−２８９４５９号公報
【特許文献３】特開２００３−２６２０３５号公報
【発明の開示】
【発明が解決しようとする課題】
【０００５】
従来のドレイン排水溝部材では、床材との間の美的違和感を解消するための工夫が、殆ど施されておらず、また、ドレイン排水溝部材の汚染や劣化に対抗するための工夫も、施されていない。
【０００６】
本発明は、上記課題を解消することができるドレイン排水溝部材を提供することを目的とする。
【課題を解決するための手段】
【０００７】
本発明は、屋外の床面に設置されてドレインホースからのドレイン水を受けて流して排水するための、ドレイン排水溝部材において、ドレイン水を流すための長手方向に延びた排水路、を有する通水部材と、該排水路を上方から塞ぐための平板状の蓋部材と、からなっており、蓋部材が、複数層の積層体からなっていることを特徴としている。
【０００８】
本発明においては、蓋部材が、具体的には、次の構成を有している。
（１）蓋部材が、少なくとも化粧層を有しており、表から見て化粧層が見えるよう構成されている。
（２）蓋部材が、最下層に抗菌作用又は防カビ作用を発揮する作用層を有している。
（３）蓋部材が、最上層に耐紫外線作用を発揮する作用層を有している。
（４）蓋部材が、最上層に耐紫外線作用を発揮する作用層を有しており、最下層に抗菌作用又は防カビ作用を発揮する作用層を有している。
（５）蓋部材が、第１化粧層及び第２化粧層を有しており、表から見て第１化粧層が見え且つ裏から見て第２化粧層が見えるよう構成されている。
（６）蓋部材が、最上層及び最下層に抗菌作用又は防カビ作用を発揮する作用層をそれぞれ有している。
（７）蓋部材が、最上層及び最下層に耐紫外線作用を発揮する作用層をそれぞれ有している。
（８）蓋部材の表面に、長手方向に延びた複数の凸部が形成されている。
（９）蓋部材の裏面に、長手方向に延びた複数の凸部が形成されている。
【発明の効果】
【０００９】
本発明によれば、蓋部材の外観を変更できるので、蓋部材に意匠性を持たせることができる。
【００１０】
上記構成（１）によれば、蓋部材の意匠性を向上できる。したがって、周囲に配設する床材の意匠性に見劣りしない意匠性を蓋部材に持たせることができる。
【００１１】
上記構成（２）によれば、蓋部材の裏面がドレイン水中の細菌等によって汚染されて劣化するのを防止できる。
【００１２】
上記構成（３）によれば、蓋部材の表面が紫外線によって劣化するのを防止できる。
【００１３】
上記構成（４）によれば、蓋部材の表面が紫外線によって劣化するのを防止でき、また、蓋部材の裏面がドレイン水中の細菌等によって汚染されて劣化するのを防止でき、更に、蓋部材の裏面の抗菌作用及び防カビ作用が紫外線によって弱められるのを防止できる。
【００１４】
上記構成（５）によれば、１つの蓋部材で２つの意匠を発揮できるので、商品価値を向上できる。
【００１５】
上記構成（６）によれば、蓋部材の一方の面の抗菌作用又は防カビ作用が弱まった場合には他方の面の抗菌作用又は防カビ作用を使用できるので、蓋部材の抗菌作用又は防カビ作用の寿命を長くできる。
【００１６】
上記構成（７）によれば、蓋部材の一方の面の耐紫外線作用が弱まった場合には他方の面の耐紫外線作用を使用できるので、蓋部材の耐紫外線作用の寿命を長くできる。
【００１７】
上記構成（８）又は（９）によれば、蓋部材を補強できる。
【発明を実施するための最良の形態】
【００１８】
（基本的構成）
図１は、本発明の屋外床面設備の一例を示す部分断面斜視図である。この屋外床面設備１００は、マンション等の集合住宅の、共通廊下やベランダ等である屋外２００の床面２０１に、設けられているものであり、ドレイン排水溝部材１、床材２、及び、ドレイン連結具３を備えている。なお、ドレイン連結具３を備えない場合もある。ドレイン排水溝部材１及び床材２は、床面２０１に貼り付け等により固定されている。なお、床材２としては、床シート、床タイル等がある。ドレイン排水溝部材１は、その長手方向（矢印Ｌ方向）が床面２０１を横断し、下流側端部が排水溝部２０２に臨むように、配置されている。床材２は、ドレイン排水溝部材１の両側に配置されている。ドレイン排水溝部材１の両側部５２、５３と床材２の縁部２１とは互いに当接させて溶着されている。符号１０１は溶着部を示している。ドレイン連結具３は、ドレイン排水溝部材１の上流側端部に取り付けられており、冷暖房装置の外機２０３からのドレインホース２０４をドレイン排水溝部材１に連結している。ドレイン排水溝部材１にドレイン連結具３を取り付けてなるものをドレイン排水設備３００と称する。図２は、ドレイン排水設備３００の斜視図である。図３は、ドレイン排水溝部材１の斜視図である。
【００１９】
ドレイン排水溝部材１は、通水部材５と蓋部材６とからなっている。図３のIV−IV断面図である図４に示すように、通水部材５は、ドレイン水を流すための長手方向に延びた排水路５０を有する細長い部材である。排水路５０は、底部５１と両側部５２、５３とで構成されている。両側部５２、５３には、それぞれ、内側に、水平な溝部５２１、５３１が形成されている。蓋部材６は、１枚の板体であり、その両縁部６１、６２を溝部５２１、５３１に挿入することによって、通水部材５に対してスライドするようになっている。すなわち、蓋部材６は、図５に示すように、通水部材５に対して、長手方向（矢印Ｌ方向）にスライドして脱着可能となっている。なお、図４においては、ドレイン排水溝部材１の両側部５２、５３と床材２の縁部２１との溶着部１０１も示している。
【００２０】
図６はドレイン連結具３の拡大斜視図、図７は図２のVII−VII断面図である。ドレイン連結具３は、ホース差込孔部７と取付部８とからなっている。ホース差込孔部７は、図７に示すように、ドレインホース２０４の出口端部２０４１が差し込まれ、ドレイン水をドレイン排水溝部材１の排水路５０に向けて流すようになっている。取付部８は、ドレイン排水溝部材１に直接取り付けられ、ドレイン排水溝部材１の排水路５０を上方から塞ぐ蓋体を構成するものである。ホース差込孔部７と取付部８とは一体に形成されている。具体的には、ホース差込孔部７は、パイプからなっており、取付部８は、パイプの下縁から横方向に広がった板体からなっている。そして、ドレイン連結具３は、図７に示すように、取付部８の板体の両縁部８１、８２を通水部材５の溝部５２１、５３１に挿入することによって、通水部材５に対してスライドするようになっている。すなわち、ドレイン連結具３は、図８に示すように、通水部材５に対して、長手方向にスライドして脱着可能となっている。なお、図２において、ドレイン連結具３の下流側縁部８３と蓋部材６の上流側縁部６３とは、互いに当接させて接合されている。
【００２１】
上記構成の屋外床面設備１００においては、外機２０３からのドレイン水が、ドレインホース２０４及びドレイン連結具３を通ってドレイン排水溝部材１の排水路５０に流れ込み、排水路５０を流れて、ドレイン排水溝部材１の下流側端部から排水溝部２０２へ流れ落ち、排水溝部２０２を流れて排水される。その際、ドレイン水は、ドレイン連結具３を通ってドレイン排水溝部材１の排水路５０に流れ込むので、ドレインホース２０４から床材２上に漏れ落ちることはない。しかも、ドレイン水は、ドレイン排水溝部材１の排水路５０に流れ込んだ後は、ドレイン連結具３の取付部８及び蓋部材６によって塞がれた排水路５０内を流れるので、ドレイン排水溝部材１から床材２上に流れ出ることはない。したがって、上記構成の屋外床面設備１００によれば、床材２上にドレイン水を漏らすことなく、ドレイン水を排水できる。
【００２２】
上記構成のドレイン排水溝部材１によれば、次のような効果を発揮できる。
（１）ドレイン水を流すための排水路５０が蓋部材６によって塞がれているので、次のような効果を発揮できる。
（1-1）風によってドレイン水が排水路５０から溢れ出てしまうことはない。したがって、排水機能を十分に果たすことができる。
（1-2）排水路５０に埃や砂等が溜まることはない。したがって、排水機能の低下を防止できる。
（1-3）排水路５０による段差が蓋部材６によって塞がれているため、利用者の躓きを防止でき、それ故、安全性を向上できる。
【００２３】
（２）蓋部材６が通水部材５に対してスライドして脱着可能であるので、次のような効果を発揮できる。
（2-1）蓋部材６を、スライドさせるだけで通水部材５に対して脱着できるので、蓋部材６の脱着作業を容易に行うことができる。
（2-2）長年の使用によって排水路５０が詰まった場合には、蓋部材６をスライドさせ排水路５０を露出させて排水路５０の詰まりを解消することができるので、メンテナンスを容易に行うことができる。
（2-3）蓋部材６をスライドさせることにより、ドレイン連結具３を取り付ける位置を、ドレイン排水溝部材１の端部近傍だけでなく、任意の位置に設定できる。したがって、現場における施工の利便性を向上できる。
（2-4）蓋部材６の両縁部６１、６２が通水部材５の溝部５２１、５３１に挿入された状態で、蓋部材６が通水部材５に取り付けられているので、蓋部材６は、利用者の通常の歩行によっても、外れにくい。
（2-5）蓋部材６の両縁部６１、６２と通水部材５の溝部５２１、５３１との間には、蓋部材６を通水部材５に対してスライドさせるために、遊びが存在している。したがって、次のような効果を発揮できる。
（2-5-1）蓋部材６の脱着が困難となることはない。
（2-5-2）脱着を繰り返しても、スライドしにくくなったり蓋部材６が外れやすくなったりすることはない。
（2-5-3）部材が経時的に変形しても、遊びがその変形を吸収するので、蓋部材６のスライドが不可能となることはない。
（2-5-4）部材の可撓性が大きくても小さくても、蓋部材６のスライドを円滑に行うことができる。
【００２４】
また、上記構成のドレイン排水設備３００によれば、次のような効果を発揮できる。
（１）ドレイン連結具３を備えているので、ドレインホース２０４の出口端部２０４１を確実にドレイン排水溝部材１に連結できる。したがって、ドレインホース２０４からのドレイン水を、床材２上に漏らすことなく、ドレイン排水溝部材１によって良好に受けて流すことができる。
【００２５】
（２）ドレイン連結具３の取付部８がドレイン排水溝部材１の排水路５０を塞ぐ蓋体となるので、ドレイン連結具３を取り付けた箇所の排水路５０において、次のような効果を発揮できる。
（2-1）風によってドレイン水が溢れ出てしまうことはない。したがって、排水機能を良好に果たすことができる。
（2-2）排水路５０に埃や砂等が溜まることはない。したがって、排水機能の低下を防止できる。
【００２６】
（３）ドレイン連結具３が通水部材５に対してスライドして脱着可能であるので、次のような効果を発揮できる。
（3-1）取付部８を、スライドさせるだけで通水部材５に対して脱着できるので、ドレイン連結具３の脱着作業を容易に行うことができる。
（3-2）ドレイン連結具３を取り付けた箇所の排水路５０が長年の使用によって詰まった場合には、取付部８をスライドさせ排水路５０を露出させて排水路５０の詰まりを解消することができるので、メンテナンスを容易に行うことができる。
（3-3）取付部８をスライドさせるとともに、蓋部材６をスライドさせることによって、ドレイン連結具３を、ドレイン排水溝部材１の端部近傍だけでなく、任意の位置に、簡単に取り付けることができる。したがって、現場における施工の利便性を向上できる。
（3-4）取付部８の両縁部８１、８２が通水部材５の溝部５２１、５３１に挿入された状態で、ドレイン連結具３が通水部材５に取り付けられているので、ドレイン連結具３は、利用者の通常の歩行によっても、外れにくい。
（3-5）取付部８の両縁部８１、８２と通水部材５の溝部５２１、５３１との間には、取付部８を通水部材５に対してスライドさせるために、遊びが存在している。したがって、次のような効果を発揮できる。
（3-5-1）ドレイン連結具３の脱着が困難となることはない。
（3-5-2）脱着を繰り返しても、スライドしにくくなったりドレイン連結具３が外れやすくなったりすることはない。
（3-5-3）部材が経時的に変形しても、遊びがその変形を吸収するので、ドレイン連結具３のスライドが不可能となることはない。
（3-5-4）部材の可撓性が大きくても小さくても、ドレイン連結具３のスライドを円滑に行うことができる。
【００２７】
（蓋部材６の具体的構成）
蓋部材６は、具体的には、次に示すような構成を有している。
【００２８】
（１）図９は第１例の蓋部材６を示す断面図である。この蓋部材６は、３層の積層体からなっており、透明樹脂からなる第１層６６１と、模様が形成された樹脂層である第２層（化粧層）６６２と、着色樹脂からなる第３層６６３と、を備えている。第１層６６１は、表面に長手方向に延びた複数の凸部６５１を有している。この蓋部材６では、最上層である第１層６６１が透明であるので、表から見ると、第２層６６２すなわち化粧層が見えるようになっている。
【００２９】
この構造によれば、蓋部材６の意匠性を向上できる。したがって、周囲に配設する床材２の意匠性に見劣りしない意匠性を蓋部材６に持たせることができる。
【００３０】
なお、この構造において、蓋部材６は、３層に限るものではなく、化粧層のみからなる１層であってもよく、又は、表から化粧層が見えるならば、２層又は４層以上の積層体からなってもよい。
【００３１】
更に、第１層６６１の透明樹脂は、次の構成を有してもよい。
（ｉ）粒状チップ及び／又は繊維状チップが混入されることにより、模様が構成されている。
（ii）微量の顔料が混入されることにより、着色層となっている。
（iii）上記（ｉ）及び（ii）の両方を備えている。
【００３２】
また、第２層６６２の模様としては、次の模様を採用してもよい。
（ｉ）粒状チップ及び／又は繊維状チップが混入されることによって構成される模様。
（ii）印刷模様。
（iii）色の異なる樹脂原料を押出成形して作られる模様。
【００３３】
（２）図１０は第２例の蓋部材６を示す断面図である。この蓋部材６は、２層の積層体からなっており、粒状チップ６６４１及び繊維状チップ６６４２が混入された樹脂層である第１層６６４と、抗菌剤及び防カビ剤が混入された樹脂層である第２層（作用層）６６５と、を備えている。また、第１層６６４は、表面に長手方向に延びた複数の凸部を有している。
【００３４】
この構造によれば、最下層である第２層６６５が抗菌剤及び防カビ剤を含有しているので、蓋部材６の裏面がドレイン水中の細菌等によって汚染されて劣化するのを防止できる。
【００３５】
しかも、この蓋部材６を図３１に示す通水部材６と共に用いると、排水路５０全体がドレイン水中の細菌等によって汚染されて劣化するのを防止できる。
【００３６】
また、第１層６６４が、粒状チップ６６４１及び繊維状チップ６６４２を含有しているので、それらのチップに基づく模様を呈している。したがって、蓋部材６の意匠性を向上できる。
【００３７】
なお、この構造において、蓋部材６は、２層に限るものではなく、作用層のみからなる１層であってもよく、又は、最下層が作用層であるならば、３層以上の積層体からなってもよい。
【００３８】
（３）図１１は第３例の蓋部材６を示す断面図である。この蓋部材６は、２層の積層体からなっており、耐紫外線薬剤が混入された樹脂層である第１層（作用層）６６６と、抗菌剤及び防カビ剤が混入された樹脂層である第２層（作用層）６６３と、を備えている。
【００３９】
この構造によれば、最上層である第１層６６６が耐紫外線薬剤を含有しているので、蓋部材６の表面が紫外線によって劣化するのを防止でき、また、蓋部材６の裏面がドレイン水中の細菌等によって汚染されて劣化するのを防止でき、更に、蓋部材６の裏面の抗菌作用及び防カビ作用が紫外線によって弱められるのを防止できる。
【００４０】
（４）図１２は第４例の蓋部材６を示す断面図である。この蓋部材６は、２層の積層体からなっており、表面に長手方向に延びた複数の凸部６５１を有する第１層６６８と、裏面に長手方向に延びた複数の凸部６５２を有する第２層６６９と、を備えており、第１層６６８と第２層６６９とが同一形態を有している。
【００４１】
この構造によれば、第１層６６８と第２層６６９とが同一形態を有しているので、蓋部材６の表裏を区別する必要がなく、それ故、通水部材５への蓋部材６の取り付け作業が簡単となる。
【００４２】
また、蓋部材６の一方の面が傷ついた場合には他方の面を表として使用できるので、蓋部材６の寿命を長くできる。
【００４３】
（５）図１３は第５例の蓋部材６を示す断面図である。この蓋部材６は、２層の積層体からなっており、粒状チップ６６４１及び繊維状チップ６６４２が混入された樹脂層である第１層（第１化粧層）６６４と、着色樹脂からなる第２層（第２化粧層）６６３と、を備えており、第１層６６４と第２層６６３とが同一形態を有している。
【００４４】
この構造によれば、第１層６６４と第２層６６３とで発揮される意匠性が異なるので、１つの蓋部材６によって２つの意匠を発揮できることとなる。したがって、ドレイン排水溝部材１の商品価値を向上できる。
【００４５】
なお、蓋部材６は、３層以上の積層体であってもよく、その場合においては、少なくとも第１化粧層及び第２化粧層を有し、表から見て第１化粧層が見え且つ裏から見て第２化粧層が見えるよう構成されていればよい。
【００４６】
（６）図１４は第６例の蓋部材６を示す断面図である。この蓋部材６は、２層の積層体からなっており、抗菌剤及び防カビ剤が混入された樹脂層である第１層（作用層）６７１と、抗菌剤及び防カビ剤が混入された樹脂層である第２層（作用層）６７２と、を備えており、第１層６７１と第２層６７２とが同一形態を有している。
【００４７】
この構造によれば、第１層６７１及び第２層６７２のいずれを裏として使用しても、いずれの層も抗菌剤及び防カビ剤を含有しているので、蓋部材６の一方の面の抗菌作用又は防カビ作用が弱まった場合には他方の面の抗菌作用又は防カビ作用を使用でき、それ故、蓋部材６の抗菌作用又は防カビ作用の寿命を長くできる。
【００４８】
なお、蓋部材６は、３層以上の積層体であってもよく、その場合においては、少なくとも最上層及び最下層に抗菌作用又は防カビ作用を発揮する作用層をそれぞれ有していればよい。
【００４９】
（７）図１５は第７例の蓋部材６を示す断面図である。この蓋部材６は、２層の積層体からなっており、耐紫外線薬剤が混入された樹脂層である第１層（作用層）６７３と、耐紫外線薬剤が混入された樹脂層である第２層（作用層）６７４と、を備えており、第１層６７３と第２層６７４とが同一形態を有している。
【００５０】
この構造によれば、第１層６７３及び第２層６７４のいずれを表として使用しても、いずれの層も耐紫外線薬剤を含有しているので、蓋部材６の一方の面の耐紫外線作用が弱まった場合には他方の面の耐紫外線作用を使用でき、それ故、蓋部材６の耐紫外線作用の寿命を長くできる。
【００５１】
なお、蓋部材６は、３層以上の積層体であってもよく、その場合においては、少なくとも最上層及び最下層に耐紫外線作用を発揮する作用層をそれぞれ有していればよい。
【００５２】
また、上記第１〜第３例では、蓋部材６の表面に、長手方向に延びた凸部６５１が形成されており、また、上記第４〜第７例では、蓋部材６の表面及び裏面に、長手方向に延びた凸部６５１、６５２が形成されているので、蓋部材６は、補強されている。
【００５３】
上述したドレイン排水溝部材１においては、上述したスライド構造、排水路、及び蓋部材の、各種の変形構造を、任意に組み合わせて使用できる。
【産業上の利用可能性】
【００５４】
本発明のドレイン排水溝部材は、蓋部材に意匠性を持たせることができるので、産業上の利用価値が大なるものである。
【図面の簡単な説明】
【００５５】
【図１】本発明の屋外床面設備の一例を示す部分断面斜視図である。
【図２】ドレイン排水設備の斜視図である。
【図３】ドレイン排水溝部材の斜視図である。
【図４】図３のIV−IV断面図である。
【図５】蓋部材を長手方向にスライドさせた状態のドレイン排水溝部材の斜視図である。
【図６】ドレイン連結具の拡大斜視図である。
【図７】図２のVII−VII断面図である。
【図８】ドレイン連結具を長手方向にスライドさせた状態のドレイン排水設備の斜視図である。
【図９】蓋部材の第１例を示す断面図である。
【図１０】蓋部材の第２例を示す断面図である。
【図１１】蓋部材の第３例を示す断面図である。
【図１２】蓋部材の第４例を示す断面図である。
【図１３】蓋部材の第５例を示す断面図である。
【図１４】蓋部材の第６例を示す断面図である。
【図１５】蓋部材の第７例を示す断面図である。
【符号の説明】
【００５６】
１  ドレイン排水溝部材  ２００  屋外  ２０１  床面  ２０４  ドレインホース  ６  蓋部材  ６５１、６５２  凸部  ６６２、６６３、６６４  化粧層
【図１】
2009013786.tif 000003
【図２】
2009013786.tif 000004
【図３】
2009013786.tif 000005
【図４】
2009013786.tif 000006
【図５】
2009013786.tif 000007
【図６】
2009013786.tif 000008
【図７】
2009013786.tif 000009
【図８】
2009013786.tif 000010
【図９】
2009013786.tif 000011
【図１０】
2009013786.tif 000012
【図１１】
2009013786.tif 000013
【図１２】
2009013786.tif 000014
【図１３】
2009013786.tif 000015
【図１４】
2009013786.tif 000016
【図１５】
2009013786.tif 000017